(57)【特許請求の範囲】
【請求項１】
周回動する無端ベルトと、
無端ベルトの裏面側に位置し、同無端ベルト側に磁力による裏側吸引手段を有し、かつ、遊技者の操作によって移動可能に形成された誘導体と、
無端ベルトの表面側に位置し、同無端ベルト側に磁力による表側吸引手段を有する移動体とを有し、
誘導体の裏側吸引手段と、移動体の表側吸引手段とは、無端ベルトを介して磁力吸引するように形成され、
遊技者の操作による誘導体の移動に伴い、同誘導体に磁力吸引した移動体が無端ベルト表面を移動可能に形成された遊技装置であって、
誘導体は、
無端ベルト側に垂直に突出した出力軸を有する駆動モーターと、
同駆動モーターの出力軸先端に連結され、同出力軸を中心に回転し、かつ、無端ベルト側に磁力による裏側第二吸引手段を有する能動回転体とを備え、
移動体は、
無端ベルト側に垂直に突出した入力軸の回転により電力が生ずる発電モーターと、
同発電モーターの入力軸先端に連結され、同入力軸を中心に回転し、かつ、無端ベルト側に磁力による表側第二吸引手段を有する受動回転体と、
同発電モーターに接続され、電力により作動する表示体とを有し、
前記裏側第二吸引手段と、前記表側第二吸引手段とは、無端ベルトを介して磁力吸引するように形成され、
誘導体の駆動モーターによって能動回転体が回転することで、同能動回転体に磁力吸引した受動回転体が回転するとともに、同受動回転体によって発電モーターの入力軸が回転することで電力が生じ、この電力で表示体が作動するように形成されたことを特徴とする遊技装置。
【請求項２】
表示体は、リードスイッチを介して発電モーターに接続されるとともに、
誘導体は、上記リードスイッチを磁力によって開閉させる開閉手段を備えたことを特徴とする請求項１記載の遊技装置。
【請求項３】
発電モーターと並列にコンデンサが挿入されていることを特徴とする請求項１又は２記載の遊技装置。
【発明の詳細な説明】
【０００１】
【発明の属する技術分野】
本発明は、周回動する無端ベルトの表面上で移動体を間接的に移動させる遊技装置において、当該移動体に設けたランプ、スピーカー等の表示体の電力供給手段に関する。
【０００２】
【従来の技術】
従来、無端ベルト上を、自動車等の形状を有する移動体を移動させる遊技装置が提供されてきた。すなわち、無端ベルトの内側に磁石を有する誘導体を設け、これに移動体を無端ベルトを介して外側から磁力吸引させる。そして、誘導体を遊技者がハンドル等で操作することで、周回動する無端ベルト上を、移動体が左右（時に前後も）に移動させるようなものである。
【０００３】
このような遊技装置において、当該移動体に、たとえばランプを設けてこれを点灯させたり、スピーカーを設けてこれを鳴らそうとするときには、外部から導線を引いてこれらに電力供給をすることは、外観上好ましくなく、また、移動体の移動の妨げともなる。そして、電池を移動体に搭載して、これらを作動させることも可能ではあるが、電池交換の手間がかかる。そこで、移動体に発電器を搭載し、これで電力をまかなうことが試みられている。そこで問題となるのが発電器の駆動手段である。
【０００４】
まず第一の手段として、移動体に設けられるタイヤ又はローラーの、無端ベルトとの摩擦によって発電器を駆動しようとするものが考えられる。
第二の手段として、移動体に誘導コイルを搭載し、一方、誘導体側に発磁体を設け、電磁誘導により発電しようとするものが考えられる。
【０００５】
【発明が解決しようとする課題】
上記第一の手段では、タイヤ又はローラーの回転速度はそれほど速くないため、ランプを一定以上の明るさで点灯させたりできるような電力を得るのは困難である。
また、第二の手段では、ある程度の電力を得るためには、ある程度以上の誘導コイルの重量が必要となる。したがって、移動体の重量が大きくなるため、無端ベルトを介して間接的に操作するような移動体には不向きである。また、電波等の影響により、電力の変動が生ずることも想定される。更に、誘導体と移動体とは、無端ベルトを隔てて位置しているため、電磁誘導の効率も悪くなる。
【０００６】
そこで、本発明は、外部からの電力の供給が不可能な移動体において、その移動体に設けられる電球、スピーカーその他の表示体を作動させるための発電手段を提供することを目的とする。
【０００７】
【課題を解決するための手段】
（請求項１）
上記の課題に鑑み、本発明のうち請求項１記載の発明は、周回動する無端ベルト２０と、無端ベルト２０の裏面側に位置し、同無端ベルト２０側に磁力による裏側吸引手段３２を有し、かつ、遊技者の操作によって移動可能に形成された誘導体３０と、無端ベルト２０の表面側に位置し、同無端ベルト２０側に磁力による表側吸引手段４２を有する移動体４０とを有し、誘導体３０の裏側吸引手段３２と、移動体４０の表側吸引手段４２とは、無端ベルト２０を介して磁力吸引するように形成され、遊技者の操作による誘導体３０の移動に伴い、同誘導体３０に磁力吸引した移動体４０が無端ベルト２０表面を移動可能に形成された遊技装置１０であって、誘導体３０は、無端ベルト２０側に垂直に突出した出力軸５１を有する駆動モーター５０と、同駆動モーター５０の出力軸５１先端に連結され、同出力軸５１を中心に回転し、かつ、無端ベルト２０側に磁力による裏側第二吸引手段５３を有する能動回転体５２とを備え、移動体４０は、無端ベルト２０側に垂直に突出した入力軸５６の回転により電力が生ずる発電モーター５５と、同発電モーター５５の入力軸５６先端に連結され、同入力軸５６を中心に回転し、かつ、無端ベルト２０側に磁力による表側第二吸引手段５８を有する受動回転体５７と、同発電モーター５５に接続され、電力により作動する表示体とを有し、前記裏側第二吸引手段５３と、前記表側第二吸引手段５８とは、無端ベルト２０を介して磁力吸引するように形成され、誘導体３０の駆動モーター５０によって能動回転体５２が回転することで、同能動回転体５２に磁力吸引した受動回転体５７が回転するとともに、同受動回転体５７によって発電モーター５５の入力軸５６が回転することで電力が生じ、この電力で表示体が作動するように形成されたことを特徴とする。
【０００８】
「無端ベルト」とは、両端が接合されて、環状となったベルトをいう。この無端ベルト２０は通常、一の駆動ローラー２１と、一又は二以上のテンションローラー２３とで、適当な張りを保ちつつ周回動することとなっている。そして、この無端ベルト２０の外側の面が「表面」であり、内側の面が「裏面」である。無端ベルト２０の表面には、通常、後述の移動体４０が進行すべきコース２５が描かれている。
【０００９】
「誘導体」とは、無端ベルト２０の裏面側に位置し、後述の移動体４０の移動を間接的に操作するための装置であって、遊技者の操作によりある程度移動可能に形成されている。また、誘導体３０の、無端ベルト２０側に位置する部分には、裏側吸引手段３２が設けられている。
「裏側吸引手段」とは、磁石又は磁性体で形成されている。
【００１０】
「移動体」とは、無端ベルト２０の表面を、同無端ベルト２０に対し相対的に移動するように形成されている装置をいう。この移動体４０は、たとえば、自動車を模した形状に形成することができる。
「表側吸引手段」とは、磁石又は磁性体で形成されている。この表側吸引手段４２と、前記裏側吸引手段３２とは、互いに磁力吸引することとなっている。したがって、これら両者のうち、いずれか一方又は両方が磁石で形成されていることを要する。
【００１１】
「駆動モーター」とは、誘導体３０に設けられるモーターであって、下記の能動回転体５２を回転させるためのものである。
「能動回転体」とは、上記駆動モーター５０によって、無端ベルト２０に垂直な出力軸５１を中心に回転する回転体であって、その無端ベルト２０側には裏側第二吸引手段５３が装着されている。この裏側第二吸引手段５３は、磁石又は磁性体で形成されている。
【００１２】
「発電モーター」とは、移動体４０に設けられるモーターであって、下記の受動回転体５７の回転によって回転することで発電が行われるものである。
「受動回転体」とは、発電モーター５５の入力軸５６の先端に設けられた回転体であって、その無端ベルト２０側には表側第二吸引手段５８が装着されている。この表側第二吸引手段５８は、磁石又は磁性体で形成されている。この表側第二吸引手段５８と、前記裏側第二吸引手段５３とは、互いに磁力吸引することとなっている。したがって、これら両者のうち、いずれか一方又は両方が磁石で形成されていることを要する。
【００１３】
「表示体」とは、上記発電モーター５５によって生じた電力によって作動する装置をいう。たとえば、電球、スピーカー、回転灯などがある。
すなわち、駆動モーター５０の出力軸５１の回転により、その先端に取り付けられた能動回転体５２が回転する。この能動回転体５２には、無端ベルト２０を介して受動回転体５７が磁力吸引している。したがって、受動回転体５７は、能動回転体５２の回転に伴い、同じ速度で回転する。そして、受動回転体５７は、発電モーター５５の入力軸５６の先端に取り付けられている。したがって、受動回転体５７の回転により、入力軸５６を介して発電モーター５５が作動し、発電が行われる。
【００１４】
能動回転体５２と受動回転体５７とは、それぞれ裏側第二吸引手段５３と表側第二吸引手段５８とを備えており、これらの磁力吸引により確実に同期して回転することとなっている。すなわち、表示体が誘導体３０に確実に磁力吸引している限り、能動回転体５２と受動回転体５７とは磁力吸引を維持することが可能である。したがって、移動体４０が誘導体３０により確実に誘導されている限り、能動回転体５２の回転は、確実に受動回転体５７へ伝達され、その間発電が確実に行われることとなる。
【００１５】
（請求項２）
また、本発明のうち請求項２記載の発明は、請求項１記載の発明の特徴に加え、表示体は、リードスイッチ６４を介して発電モーター５５に接続されるとともに、誘導体３０は、上記リードスイッチ６４を磁力によって開閉させる開閉手段を備えたことを特徴とする。
【００１６】
「リードスイッチ」には様々な形状のものがあるが、本請求項に係る発明においては、スイッチの開閉が、磁力によって遠隔操作可能なものを用いることとする。たとえば、湾曲した薄肉の舌片（リード）の先端に鉄片を装着したものを有し、磁石が接近することで舌片が湾曲に抗して端子へ接触するとともに、磁石が離反すると再び湾曲の復元により舌片が端子から乖離するようなものを用いることができる。
【００１７】
「開閉手段」とは、磁力によって上記リードスイッチ６４によるスイッチの開閉を行わせるものをいう。たとえば、ソレノイド６０によって磁石が上下動するような機構を有するものをこの開閉手段とすることができる。
したがって、開閉手段を適当に操作することで、所望の時点で表示体を作動させることが可能となる。たとえば、当該遊技装置１０が自動車を模した移動体４０を無端ベルト２０表面上で操作するもので、かつ、当該移動体４０を停止させるためのブレーキ機構を備えているものとした場合に、表示体としてブレーキランプ４５を模した電球を当該移動体４０に装着して、このブレーキ機構を作動させたときにのみ開閉手段の磁石が上方へ移動してリードスイッチ６４を閉鎖することで、表示体が点灯するようにすることが可能となる。
【００１８】
なお、上記開閉手段の操作は、遊技者が自由に行うことができるものとしてもよく、また、遊技装置１０の制御プログラム等によって適宜所定の場合に作動するように制御することとしてもよい。
（請求項３）
更に、本発明のうち請求項３記載の発明は、請求項１又は２記載の発明の特徴に加え、発電モーター５５と並列にコンデンサ４６が挿入されていることを特徴とする。
【００１９】
すなわち、発電モーター５５と表示体とを有する電気回路にコンデンサ４６を挿入することで、受動回転体５７の回転速度の変動等によって電圧の変動が生じても、コンデンサ４６に蓄積される電荷によって、ある程度一定の電圧を保つことで、表示体の作動をある程度一定に保つことが可能となる。
【００２０】
【発明の実施の形態】
以下、本発明の一の実施の形態を、図面を参照しつつ説明する。
（外観）
本実施の形態に係る遊技装置１０は、図２に左方斜視図で示したような外観を呈する。
【００２１】
すなわち、筐体１１の上面は、手前側が低くなっており、遊技者が位置する側に向かって傾斜している。また、この上面は、奥側から途中までにかけての、比較的傾斜の小さい小傾斜面１２と、その途中から手前側にかけての、比較的傾斜の大きい大傾斜面１３となっている。
上記小傾斜面１２の大部分は、透明な材質で形成された天板１４で覆われており、この天板１４を通して、その下方に位置する無端ベルト２０、及び、この無端ベルト２０上に載置される、自動車を模した形状の移動体４０が視認されるようになっている。この無端ベルト２０の表面には、コース２５が描かれている。そして、後述の機構によって無端ベルト２０が遊技者の手前方向へ流れていくことで、時々刻々とコース２５が変化していくこととなっている。
【００２２】
一方、上記大傾斜面１３には、ハンドル１５及びシフトレバー１６が設けられている。シフトレバー１６は、高速及び低速の２段階の切り替えが可能となっている。更に、筐体１１前面下部には、アクセルペダル１７及びブレーキペダル１８が設けられている。
（無端ベルト）
上記無端ベルト２０は、図３に右方斜視図で示したように筐体１１内で位置している。すなわち、無端ベルト２０は、筐体１１内の、左右方向を回転軸とする６個のローラーによって適度な張りを保ちつつ、周回動を行うように形成されている。
【００２３】
具体的には、これらのローラーのうち、筐体１１の手前上部側に設けられるローラーは、駆動機構を備えた駆動ローラー２１となっている。そして、筐体１１の手前下部側、奥上部側、奥下部側、及び奥中間付近に設けられる４個のローラーが、ガイドローラー２２となっている。また、奥下部側及び奥中間付近に設けられるガイドローラー２２の間の高さで、かつ、やや手前寄りにテンションローラー２３が設けられ、これにより無端ベルト２０の張りが維持される。
【００２４】
駆動ローラー２１は、駆動機構によって右側面視で反時計回りに回転し、これに伴って、無端ベルト２０はこの同じ方向へ周回動する。また、周回動する無端ベルト２０との摩擦で、各ガイドローラー２２及びテンションローラー２３が回転する。各ガイドローラー２２の回転方向は駆動ローラー２１と同一であるが、テンションローラー２３のみ反対方向に回転することとなっている。
【００２５】
駆動ローラー２１の回転速度は、遊技者の操作により一定の範囲内で制御可能となっている。すなわち、前記のシフトレバー１６が高速に切り替えてある場合には、低速の場合よりも早く回転することとなっている。また、遊技者がアクセルペダル１７を踏んだ際にも、駆動ローラー２１の回転速度は増大することとなっている。一方、遊技者がブレーキペダル１８を踏んだ際には、駆動ローラー２１の回転速度は減少することとなっている。したがって、駆動ローラー２１の回転速度の変動に伴って、無端ベルト２０の周回動の速度も変動することとなっている。
【００２６】
（誘導体）
無端ベルト２０のうち、天板１４側に位置する部分は、アルミ板１９によって支持されている（図１参照）。
このアルミ板１９の直下には、遊技者の操作によって前後左右へ移動可能な誘導体３０が設けられている。誘導体３０の上面の複数箇所には、磁石による裏側吸引手段３２が設けられている（図１参照）。
【００２７】
誘導体３０は、遊技者がハンドル１５を回転させることによって、左右に移動可能に形成されている。すなわち、ハンドル１５を右へ回転させると、誘導体３０は右へ移動する。また、ハンドル１５を左へ回転させると、誘導体３０は左へ移動する。更に、アクセルペダル１７を踏むことによって、移動体４０は前へ移動し、ブレーキペダル１８を踏むことによって、後ろへ移動するように形成されている。なお、誘導体３０の具体的な駆動方法については、本明細書中では割愛する。また、誘導体３０には、発電機構に関わる駆動モーター５０及び能動回転体５２、並びにスイッチ機構も設けられているが、これらについては後述する。
【００２８】
（移動体）
無端ベルト２０の上面に載置される移動体４０の下面の複数箇所には、磁石による表側吸引手段４２が設けられている（図１参照）。この表側吸引手段４２と、上述の誘導体３０の裏側吸引手段３２とは、互いに対応する位置に設けられている。これによって、誘導体３０と移動体４０とが磁力吸引することとなっている。したがって、移動体４０は、上述の誘導体３０の移動に伴って、前後左右に移動可能となっている。また、移動体４０には、表示体たるブレーキランプ４５が設けられている。このブレーキランプ４５は、遊技者がブレーキペダル１８を踏んだ際に点灯するように形成されている。更に、このブレーキランプ４５を点灯させる電力の発電機構に関わる発電モーター５５及び受動回転体５７、並びにこのブレーキランプ４５を点灯させるスイッチ機構に関わるリードスイッチ６４も設けられているが、これらについては後述する。
【００２９】
（発電機構及びスイッチ機構）
本実施の形態に係る遊技装置１０における発電機構及びスイッチ機構の概要を斜視図で示したのが、図１である。
誘導体３０は、アルミ板１９及びその上に位置する無端ベルト２０を介して、移動体４０を磁力吸引している。
【００３０】
誘導体３０がアルミ板１９に直接接する部分は、上面が平坦な誘導基板３１となっている。この誘導基板３１には、移動体４０を磁力吸引するための磁石による裏側吸引手段３２が複数個埋設されている。また、この誘導基板３１には、円形の孔が前後に２個並んで設けられている。このうち、前方（すなわち、遊技者から見て奥側）に位置する孔は、後述のスイッチマグネット６３が上下動するためのスイッチ孔３３となっている。また、後方に位置する孔は、後述の能動回転体５２が位置する能動発電孔３４となっている。
【００３１】
誘導体３０には、発電機構として、出力軸５１を上方に突出させた駆動モーター５０が設けられる。この出力軸５１の先端には、上記能動発電孔３４に嵌合する円盤状の能動回転体５２が設けられている。この能動回転体５２の上面には、複数個の磁石による裏側第二吸引手段５３が埋設されている。また、この能動回転体５２の上面は、上記誘導基板３１の上面と同一平面をなすように形成されている。
【００３２】
誘導体３０にはまた、スイッチ機構として、ソレノイド６０によって上下動するスイッチマグネット６３も設けられている。すなわち、ソレノイド６０の鉄心６１と、スイッチマグネット６３とが連結板６２で連結されている。そして、ソレノイド６０の鉄心６１が上方へ移動すると、連結板６２のスイッチマグネット６３側が下方へ移動し、これによりスイッチマグネット６３が下方へ移動することとなっている。また、ソレノイド６０の鉄心６１が下方へ移動すると、連結板６２のスイッチマグネット６３側が上方へ移動し、これによりスイッチマグネット６３が上方へ移動することとなっている。なお、スイッチマグネット６３が上方に移動した際には、その上面は、誘導基板３１の上面と同じ高さに達するように形成されている。
【００３３】
一方、移動体４０が無端ベルト２０に直接接する部分は、下面が平坦な移動基板４１となっている。この移動基板４１には、誘導体３０と磁力吸引するための磁石による表側吸引手段４２が複数個埋設されている。また、この誘導基板３１の後端寄りには、後述の受動回転体５７が位置する、円形の受動発電孔４４が設けられている。また、誘導基板３１の前端寄りには、溝状のスイッチ溝４３が設けられている。これらの受動発電孔４４及びスイッチ溝４３は、移動体４０が誘導体３０に磁力吸引した際には、それぞれ能動発電孔３４及びスイッチ孔３３と一致するように形成されている。
【００３４】
移動体４０には、発電機構として、入力軸５６を下方に突出させた発電モーター５５が設けられる。この入力軸５６の先端には、上記受動発電孔４４に嵌合する円盤状の受動回転体５７が設けられている。この受動回転体５７の下面には、複数個の磁石による表側第二吸引手段５８が埋設されている。また、この受動回転体５７の下面は、上記移動基板４１の下面と同一平面をなすように形成されている。そして、移動体４０と誘導体３０とが磁力吸引した際には、受動回転体５７は能動回転体５２と磁力吸引することとなっている。
【００３５】
移動体４０にはまた、上述のようにブレーキランプ４５が設けられているが、これは発電モーター５５に、スイッチ機構としてのリードスイッチ６４を介して接続されている。このリードスイッチ６４は、上記スイッチ溝４３に収納される。更に、発電モーター５５と並列に、コンデンサ４６が回路に挿入されている。
上記構造により、アルミ板１９直下に位置する誘導体３０に対し、移動体４０を正位置に載置すると、互いに裏側吸引手段３２及び表側吸引手段４２によりアルミ板１９及び無端ベルト２０を介して磁力吸引される。また、能動回転体５２と受動回転体５７とが互いに裏側第二吸引手段５３及び表側第二吸引手段５８により磁力吸引される。
【００３６】
能動回転体５２が、駆動モーター５０によって回転を開始すると、これに磁力吸引する受動回転体５７も、能動回転体５２と同一方向及び同一速度で回転を開始する。そして、受動回転体５７の回転により、発電モーター５５が発電を開始する。このとき、スイッチマグネット６３が下方に位置していれば、リードスイッチ６４は開放状態にあり、ブレーキランプ４５は点灯しない。
【００３７】
一方、遊技者がブレーキペダル１８を踏む等すると、図示しない遊技装置１０の制御機構によりスイッチマグネット６３が上方へ移動し、リードスイッチ６４が閉鎖状態となる。これによって回路が閉鎖して、ブレーキランプ４５が点灯することとなる。
（遊技の一例）
以下、本実施の形態に係る遊技装置１０における遊技の一例を説明する。
【００３８】
まず、遊技者が遊技装置１０に硬貨等を投入することで、遊技が開始される。遊技が開始されると、誘導体３０に設けられた駆動モーター５０が回転を開始する。ただし、スイッチマグネット６３は遊技開始時には下方に位置しており、リードスイッチ６４は開放しているため、ブレーキランプ４５は点灯しない。
そして、遊技者がアクセルペダル１７を踏むことで、無端ベルト２０が周回動を開始する。遊技者は、無端ベルト２０の周回動につれて手前側へ周回するコース２５に合わせてハンドル１５を操作する。これによって誘導体３０が左右へ移動し、これに伴って移動体４０も左右へ移動する。
【００３９】
そして、遊技者がブレーキペダル１８を踏むと、ソレノイド６０の鉄心６１が下方へ移動することによりスイッチマグネット６３が上方へ移動する。これによって移動体４０のリードスイッチ６４が閉鎖することで回路が閉鎖し、ブレーキランプ４５が点灯する。
（その他の実施の形態）
なお、ブレーキランプ４５の代わりに、回転灯を設置するとともに、移動体４０が移動している間は駆動モーター５０が作動し、停止したときには駆動モーター５０も停止するように制御することで、移動体４０が移動を行っている間この回転灯が回転点灯するように形成することもできる。この場合は、移動体４０の回路中にリードスイッチ６４は設けなくともよい。
【００４０】
また、上述のブレーキランプ４５や回転灯のように、光によって視覚的に何らかの表示を行う表示体の他に、スピーカーのように、音声を発する表示体を移動体４０に設けることも可能である。
更に、上述の受動回転体５７と入力軸５６との間にギアを介することとして、入力軸５６の回転数を上げることで発電モーター５５の発電力を上げることも可能である。
【００４１】
【発明の効果】
本発明は、上述のように構成されているので、以下に記す効果を奏する。
すなわち、外部からの電力の供給が不可能な移動体において、その移動体に設けられる電球、スピーカーその他の表示体を作動させるための発電手段を提供することが可能となる
【図面の簡単な説明】
【図１】本発明の一の実施の形態に係る遊技装置における、誘導体と移動体との構造の主要部を模式的に示した斜視図である。
【図２】本発明の一の実施の形態に係る遊技装置の外観を示した左方斜視図である。
【図３】本発明の一の実施の形態に係る遊技装置における、無端ベルトの駆動機構の主要部を示した右方斜視図である。
【符号の説明】
１０  遊技装置              １１  筐体
１２  小傾斜面              １３  大傾斜面
１４  天板                  １５  ハンドル
１６  シフトレバー          １７  アクセルペダル
１８  ブレーキペダル        １９  アルミ板
２０  無端ベルト            ２１  駆動ローラー
２２  ガイドローラー        ２３  テンションローラー
２５  コース
３０  誘導体                ３１  誘導基板
３２  裏側吸引手段          ３３  スイッチ孔
３４  能動発電孔
４０  移動体                ４１  移動基板
４２  表側吸引手段          ４３  スイッチ溝
４４  受動発電孔            ４５  ブレーキランプ
４６  コンデンサ
５０  駆動モーター          ５１  出力軸
５２  能動回転体            ５３  裏側第二吸引手段
５５  発電モーター          ５６  入力軸
５７  受動回転体            ５８  表側第二吸引手段
６０  ソレノイド            ６１  鉄心
６２  連結板                              ６３  スイッチマグネット
６４  リードスイッチ
【図１】
0003634183.tif 000002
【図２】
0003634183.tif 000003
【図３】
0003634183.tif 000004